(57)【特許請求の範囲】
【請求項１】
空気を吹出口から吹き出す室内ファン、前記吹出口からの吹き出された前記空気との間で熱交換を行う熱交換器、及び、前記熱交換器を通過した空気を室内に供給する供給口が形成された筐体を有する空気調和機と、
前記空気調和機が設置された設備内の消費電力に基づいてデマンド信号を出力し、該デマンド信号に基づいて前記室内ファンから吹き出される前記空気の風量を調整するデマンド制御装置と、
前記空気の風量の変化に応じて、前記筐体における前記供給口の開口面積を調整可能な開口調整機構と、
を備え、
前記デマンド制御装置は、前記供給口の開口面積が調整された後に、成績係数ＣＯＰが最大となるように、前記空気調和機に対してフィードバック制御を行う空気調和システム。
【請求項２】
前記開口調整機構を駆動する駆動装置と、
前記駆動装置を前記室内の状態に基づいて制御し、前記開口調整機構によって、前記供給口の開口面積を調整可能な駆動制御装置と、
をさらに備える請求項１に記載の空気調和システム。
【請求項３】
前記開口調整機構を駆動する駆動装置と、
前記室内ファンから吹き出される空気の風量と快適性とにより決まる風速から、その風量と風速に対応する開口面積を、計算式又は予め記憶されたデータにて求めることで前記供給口の開口面積を決定し、前記開口調整機構によって前記供給口の開口面積を調整可能な駆動制御装置と、
をさらに備える請求項１に記載の空気調和システム。
【請求項４】
前記デマンド制御装置は、前記空気調和機の成績係数ＣＯＰが最大となるように、前記空気調和機を制御する請求項１から３のいずれか一項に記載の空気調和システム。
【請求項５】
前記開口調整機構は、
前記供給口の開口縁部に沿って延びる軸線回りに回動可能な板状をなす第一フラップと、
前記第一フラップに対向して配置されるとともに、前記供給口の開口縁部に沿って延びる軸線回りに回動可能な板状をなし、回動によって前記供給口から離れる側の先端部が、前記第一フラップにおける前記供給口から離れる側の先端部に対して近接離間することで、前記供給口の開口面積を調整可能な第二フラップと、
を有する請求項１から４のいずれか一項に記載の空気調和システム。
【発明の詳細な説明】
【技術分野】
【０００１】
本発明は、室内空調を行う空気調和システムに関する。
【背景技術】
【０００２】
工場、オフィスビル、家庭等に設置され、室内の空調を行う空気調和機が知られている。空気調和機は圧縮機等を有する室外機と、室内ファン等を有する室内機とによって構成されており、温度や湿度が調整された空気が室内機から室内に供給されるようになっている。
【０００３】
ところで、例えば特許文献１に記載されているように、省エネ等の観点から空気調和機にデマンド制御が適用される場合がある。このデマンド制御では、空気調和機を含む設備全体での消費電力を監視し、例えば設備全体での消費電力が契約電力を超過しないように圧縮機の回転数やファンへの供給電流等を低減することで、空気調和機での消費電力を抑制する制御が行われる。
【先行技術文献】
【特許文献】
【０００４】
【特許文献１】特開昭６４−６３７４５号公報
【発明の概要】
【発明が解決しようとする課題】
【０００５】
しかしながら、上述したデマンド制御では、例えば消費電力を低減すべく圧縮機やファンの回転数や供給電流を抑える制御を行った場合、室内への空気の供給量が減少することになるため、室内機から離れた領域まで空調後の空気が到達しにくくなる。この結果、室内の空調が十分でなくなる可能性がある。
【０００６】
本発明は、上記課題を解決するためになされたものであって、デマンド制御下であっても、快適な室内空間を提供することができる空気調和システムを提供する。
【課題を解決するための手段】
【０００７】
上記課題を解決するために、本発明は以下の手段を提案している。
本発明の第一の態様に係る空気調和システムは、空気を吹出口から吹き出す室内ファン、前記吹出口からの吹き出された前記空気との間で熱交換を行う熱交換器、及び、前記熱交換器を通過した空気を室内に供給する供給口が形成された筐体を有する空気調和機と、前記空気調和機が設置された設備内の消費電力に基づいてデマンド信号を出力し、該デマンド信号に基づいて前記室内ファンから吹き出される前記空気の風量を調整するデマンド制御装置と、前記空気の風量の変化に応じて、前記筐体における前記供給口の開口面積を調整可能な開口調整機構と、を備え、前記デマンド制御装置は、前記供給口の開口面積が調整された後に、成績係数ＣＯＰが最大となるように、前記空気調和機に対してフィードバック制御を行う。
【０００８】
このような空気調和システムによれば、デマンド制御装置によって、設備内の消費電力に基づいて、例えば空気調和機における圧縮機の回転数を調整して、室内ファンから室内に供給される空気の風量を調整するデマンド制御が行われる。そして、例えばデマンド制御によって室内ファンからの空気の風量が減少した際には、開口調整機構を動作させて供給口の開口面積を小さくすることで、室内に供給される空気の風速を増大させることができる。このため、室内機から離れた位置や空気調和が必要な位置に、スポット的に空気を供給することができる。逆に室内へ供給される空気の風速が大きく、快適性が損なわれていると判断される場合には、開口調整機構によって供給口の開口面積を大きくすることで、空気の風速を減少させることも可能である。
また、駆動調整機構によって供給口の開口面積を調整することで例えば供給口の開口面積が小さくなった場合、空気が供給口から流出する際の圧力損失が増大し、空気調和機の運転点がＣＯＰの低い領域に移動してしまうことがある。このような場合に、デマンド制御装置でフィードバック制御を行ってＣＯＰを最大とすることで、室内の快適性を得つつ、空気調和システムの運転効率を向上することができる。
【０００９】
また、本発明の第二の態様に係る空気調和システムは、上記第一の態様における前記開口調整機構を駆動する駆動装置と、前記駆動装置を前記室内の状態に基づいて制御し、前記開口調整機構によって、前記供給口の開口面積を調整可能な駆動制御装置と、をさらに備えていてもよい。
【００１０】
このような駆動装置、及び駆動制御装置を設けることで、室内の状態（例えば室内の空気の風速、温度、湿度等）の変化に応じて、供給口の開口面積を調整し、室内ファンから室内へ供給される空気の風速を調整することができる。従って、室内の快適性を向上することができる。
【００１１】
また、本発明の第三の態様に係る空気調和システムは、上記第一の態様における前記開口調整機構を駆動する駆動装置と、前記室内ファンから吹き出される空気の風量と快適性とにより決まる風速から、その風量と風速に対応する開口面積を、計算式又は予め記憶されたデータにて求めることで前記供給口の開口面積を決定し、前記開口調整機構によって前記供給口の開口面積を調整可能な駆動制御装置と、をさらに備えていてもよい。
【００１２】
駆動制御装置が設けられていることで、室内ファンから吹き出される空気の風量を取得し、この取得値と予め駆動制御装置に記憶されたデータとを比較すること（又は計算式によって計算すること）で風量に見合った供給口の開口面積を決定することができる。そして決定された開口面積となるように開口調整機構を駆動することで、室内へ供給される空気の風速を容易に、かつ、室内の快適性を向上するように調整することが可能となる。
【００１３】
また、本発明の第四の態様に係る空気調和システムでは、上記第一から第三のいずれかの態様における前記デマンド制御装置は、前記空気調和機の成績係数ＣＯＰが最大となるように、前記空気調和機を制御してもよい。
【００１４】
空気調和機のＣＯＰ（Ｃｏｅｆｆｉｃｉｅｎｔ  Ｏｆ  Ｐｅｒｆｏｒｍａｎｃｅ）が最大となるように室内ファンからの空気の風量が調整されることで、空気調和システムの運転効率の向上につながる。そして本発明では、成績係数ＣＯＰを最大とすることによって室内へ供給される空気の風量が不十分となってしまった場合であっても、開口調整機構によって供給口の開口面積を小さくすることで、室内へ供給される空気の風速を増大させることができる。風速の増大により、空調機からの温湿度調整済みの空調空気の室内到達距離を確保することができ、室内機から離れた室内の領域においても快適性を確保することができる。従って、空気調和システムの運転効率を向上しつつも、室内の快適性を向上することができる。
【００１７】
また、本発明の第五の態様に係る空気調和システムでは、上記第一か第四のいずれかの前記開口調整機構は、前記供給口の開口縁部に沿って延びる軸線回りに回動可能な板状をなす第一フラップと、前記第一フラップに対向して配置されるとともに、前記供給口の開口縁部に沿って延びる軸線回りに回動可能な板状をなし、回動によって前記供給口から離れる側の先端部が、前記第一フラップにおける前記供給口から離れる側の先端部に対して近接離間することで、前記供給口の開口面積を調整可能な第二フラップと、を有していてもよい。
【００１８】
開口調整機構が第一フラップと第二フラップとを有し、これら第一フラップ及び第二フラップが回動することで供給口の開口面積が調整される。そして第一フラップ及び第二フラップは板状をなしているため、供給口から離れる側の先端部に向かって、即ち、開口縁部から離れるに従って徐々に流路幅が狭くなる空気の流路を形成することができる。この結果、供給口から吹き出される空気が開口調整機構を通過する際の空気の損失圧力を低減することができる。よって、第一フラップと第二フラップとによって滑らかに空気を案内しつつ供給口の開口面積を減少させ、又は増大させることができ、空気調和システムの運転効率の向上につながる。
【発明の効果】
【００１９】
上記の空気調和システムによれば、デマンド制御下であっても、開口調整機構によって室内ファンからの空気の風速を調整でき、快適な室内空間を提供することができる。
【図面の簡単な説明】
【００２０】
【図１】本発明の参考例における空気調和システムの全体図である。
【図２】本発明の参考例における空気調和システムのデマンド制御装置及び駆動制御装置での処理フローを示す図である。
【図３】本発明の参考例の変形例における空気調和システムの全体図である。
【図４】本発明の参考例の変形例における空気調和システムのデマンド制御装置及び駆動制御装置での処理フローを示す図である。
【図５】本発明の第一実施形態における空気調和システムの全体図である。
【図６】本発明の第二実施形態における空気調和システムの全体図である。
【図７】本発明の第二実施形態の第一変形例における空気調和システムの全体図である。
【図８】本発明の第二実施形態の第二変形例における空気調和システムの全体図である。
【発明を実施するための形態】
【００２１】
〔参考例〕
以下、本発明の参考例における空気調和システム１について説明する。
図１に示すように、空気調和システム１は、室内Ｒの空気調和を行う空気調和機１１と、空気調和機１１の制御を行うデマンド制御装置１２と、前記空気調和機１１から室内Ｒへ供給される空気Ａの供給口２５ａの開口面積を調整可能な開口調整機構１３と、開口調整機構１３を動作させる駆動装置１４と、駆動装置１４を制御する駆動制御装置１５とを備えている。
【００２２】
空気調和機１１は、室外の空気と冷媒ＲＦとの間で熱交換を行う室外機２１と、室外機２１とともに冷媒ＲＦの循環する冷凍サイクルを構成し、室内Ｒの空気Ａと冷媒ＲＦとで熱交換を行って熱交換後の空気Ａを室内Ｒに供給する室内機２２とを有している。
【００２３】
室外機２１は、詳細な図示は省略するが、圧縮機、四方切換弁、熱交換器、室外ファン、電子膨張弁（ＥＥＶ）、アキュームレータ、コントローラ等を有して構成されている。
【００２４】
室内機２２は、筐体２５と、筐体２５内に収容された室内ファン２６及び熱交換器２７を有している。
【００２５】
室内ファン２６は、筐体２５の内部に配置され、室内Ｒから空気Ａを取り込んで吹出口２６ａから空気Ａを吹き出す。
【００２６】
熱交換器２７は、筐体２５の内部で、室内ファン２６の吹出口２６ａに対向して配置され、室内ファン２６からの空気Ａを通過させることで、この空気Ａと冷媒ＲＦとの間で熱交換を行う。
【００２７】
筐体２５には、熱交換器２７を通過した空気Ａを室内Ｒに供給可能とするように、室内Ｒに向かって開口する供給口２５ａが形成されている。供給口２５ａと熱交換器２７との間には、供給口２５ａから室内Ｒに供給する空気Ａの風向を調整可能なルーバー２９が設けられている。
【００２８】
デマンド制御装置１２は、空気調和機１１が設置された設備（工場、ビル、家庭）内の全体の消費電力を監視する監視部４１と、監視部４１で得た消費電力の数値の大小の判断を行う判断部４２と、消費電力の数値に基づいてデマンド信号を出力可能とする信号出力部４３と、デマンド信号に基づいて室内ファン２６から吹き出される空気Ａの風量を調整する制御部４４を有している。
【００２９】
監視部４１は、空気調和機１１が設置された設備内の消費電力を連続的に、又は、所定のタイミングで監視する。
【００３０】
判断部４２は、監視部４１で監視している空気調和機１１が設置された設備内の消費電力に基づいて、この消費電力が所定の閾値に近づいたか否かを判断する。この閾値とは、例えば空気調和システム１が設置された設備内で使用される機器の全消費電力が、契約電力を超えないレベルの数値に設定される。
【００３１】
信号出力部４３は、消費電力が上記の閾値に近づいたと判断部４２で判断された際に、デマンド信号を生成し出力する。ここで、消費電力が「閾値に近づいた」状態とは設備内の消費電力の値が閾値未満の値となっている状態であって、消費電力の値が閾値を超える前に、閾値を超えないように空気調和機１１の制御が十分に可能な状態を示す。
【００３２】
制御部４４は、信号出力部４３からのデマンド信号に基づいて、空気調和機１１が設置された設備内の消費電力が上記の閾値を超えないように、空気調和機１１での消費電力を抑える制御を行う。空気調和機１１を制御では、例えば圧縮機や室内ファン２６の回転数を減少させたり、圧縮機や室内ファン２６への供給電流を抑えたりすることで、室内ファン２６から吹き出される空気Ａの風量を減少させる。一方で制御部４４は、上記の設備内での消費電力が閾値に比べて十分に小さくなり、信号出力部４３からのデマンド信号の出力が無くなった場合には、空気調和機１１の制御を停止する。
【００３３】
開口調整機構１３は、本参考例では筐体２５の供給口２５ａに設けられた第一フラップ３１及び第二フラップ３２を有している。
【００３４】
第一フラップ３１は、供給口２５ａの開口縁部２５ｂに沿って延びる軸線Ｏ１回りに、回動可能となるように筐体２５に取り付けられている。具体的には、例えば本参考例では供給口２５ａは矩形状をなしており、第一フラップ３１は、この矩形状の供給口２５ａの上部の開口縁部２５ｂ１に沿って配置されるとともに、供給口２５ａから離間するように延びる平板状をなしている。このようにして第一フラップ３１では、供給口２５ａから離れる側の先端部３１ａが上下に移動可能になっている。
【００３５】
また、第二フラップ３２は、第一フラップ３１と同様に供給口２５ａの開口縁部２５ｂに沿って延びる軸線Ｏ１に平行な軸線Ｏ２回りに回動可能となるように筐体２５に取り付けられている。そして第二フラップ３２は、供給口２５ａの下部の開口縁部２５ｂ２に沿って配置されるとともに、供給口２５ａから離間するように延びる平板状をなしている。このようにして第二フラップ３２では、供給口２５ａから離れる側の先端部３２ａが上下に移動可能になっている。そして、第二フラップ３２の先端部３２ａが、第一フラップ３１における先端部３１ａに近接離間することで、供給口２５ａの開口面積を調整可能としている。
【００３６】
駆動装置１４は、例えば電動モータ及び歯車等が設けられた伝達機構（不図示）を有し、第一フラップ３１及び第二フラップ３２を軸線Ｏ１、Ｏ２回りに回動させる。
【００３７】
駆動制御装置１５は、デマンド制御装置１２によって室内ファン２６から吹き出される空気Ａの風量が調整されて風量が変化した後の状態に応じて、室内Ｒの状態に基づいて駆動装置１４を制御し、開口調整機構１３によって供給口２５ａの開口面積を調整する。
【００３８】
具体的には駆動制御装置１５は、室内Ｒの状態を取得するセンサ５１と、センサ５１からの信号を受けてセンサ５１の計測値が、室内Ｒが快適な状態であるか否かを判断する快適性判断部５２と、快適性判断部５２での判断に基づいて駆動装置１４を制御する駆動制御部５３とを有している。
【００３９】
ここで室内Ｒの状態とは、室内Ｒの温度、湿度、風速等の状態を示す。これら温度、湿度、風速等の値は、例えばセンサ５１を室内Ｒに設けたり、センサ５１を空気調和機１１の操作用のリモートコントローラに埋め込んだりすることで取得される。
また、快適性判断部５２では、予め快適条件としての温度、湿度、風速等の値を記憶しており、この値とセンサ５１で得られた値とを比較することで、快適性の判断を行う。
【００４０】
次に、図２を参照して、デマンド制御装置１２及び駆動制御装置１５での処理フローについて説明する。
【００４１】
まず、デマンド制御装置１２の監視部４１で、空気調和機１１が設置された設備内の消費電力を監視する（ステップＳ１）。
次に、デマンド制御装置１２の判断部４２で、設備内の消費電力が上記の閾値に近づいたか否かを判断する（ステップＳ２）。
【００４２】
そして、判断部４２でＮＯ（消費電力が上記の閾値に近づいていない）と判断された際には、監視部４１によって設備内の消費電力の監視を継続する。一方で、判断部４２でＹＥＳ（消費電力が上記の閾値に近づいた）と判断された際には、信号出力部４３でデマンド信号を生成し出力する（ステップＳ３）。
【００４３】
その後、デマンド制御装置１２の制御部４４がデマンド信号を受け、空気調和機１１を制御し、即ち、圧縮機や室内ファン２６の回転数を減少させたり、圧縮機や室内ファン２６への供給電流を抑えたりする。これにより室内ファン２６から室内Ｒに供給される空気Ａの風量を調整する（ステップＳ４）。
【００４４】
そして、デマンド制御装置１２の制御部４４によって空気調和機１１の風量が調整されている状態で、駆動制御装置１５が動作する。具体的には、まず室内Ｒの状態をセンサ５１によって取得する（ステップＳ５）。
【００４５】
次に、快適性判断部５２で、室内Ｒの快適性の判断を行う（ステップＳ６）。即ち、その時点でＹＥＳ（室内Ｒが十分に快適な状態である）と判断された際にはセンサ５１での計測を継続する。一方で、ＮＯ（室内Ｒが十分に快適な状態でない）と判断された際には、駆動制御部５３によって開口調整機構１３の第一フラップ３１及び第二フラップ３２を回動させる（ステップＳ７）。そして、上記のステップＳ１〜Ｓ７は繰り返し実行される。
【００４６】
開口調整機構１３を動作させる際には、第一フラップ３１の先端部３１ａと第二フラップ３２の先端部３２ａとを近接させることで、供給口２５ａの開口面積を減少させる。開口面積の減少によって、室内Ｒに供給される空気Ａの風速を増大させる。
【００４７】
ここで、駆動制御装置１５での具体的な制御の手法の一例としては、例えば、センサ５１による室内Ｒの端の温湿度の計測値から、快適性判断部５２で室内Ｒの端での快適性を判断し、室内Ｒの中央部に比べて、室内Ｒの端での室温が目標室温から乖離している場合は、空調された空気Ａの到達距離が足りていないと判断して風速をあげる制御を行う。
【００４８】
以上説明した本参考例の空気調和システム１によると、室内ファン２６から吹き出された空気Ａが熱交換器２７によって調温されて供給口２５ａから室内Ｒに供給される。この際、デマンド制御装置１２によって、契約電力等によって決定される閾値を判断基準として、室内ファン２６からの空気Ａの風量を調整するデマンド制御が行われる。そして、このデマンド制御によって圧縮機の回転数を下げ、室内Ｒに供給される空気Ａの風量が減少した際には、第一フラップ３１及び第二フラップ３２を調整することで、室内Ｒに供給される空気Ａの風速を大きくすることができる。
【００４９】
この結果、室内機２２の供給口２５ａから離れた室内Ｒの領域や、空気調和が必要な室内Ｒの領域にスポット的に空気Ａを供給することができ、室内Ｒを快適な空間とすることができる。
【００５０】
また、開口調整機構１３として第一フラップ３１及び第二フラップ３２を設けたことで、開口縁部２５ｂから離れるに従って、即ち、先端部３１ａ、３２ａに向かって徐々に流路幅が狭くなる空気Ａの流路を形成することができる。よって、供給口２５ａから吹き出される空気Ａの流路が急激に狭まることがなく、開口調整機構１３を通過する際の空気Ａの損失圧力を低減することができる。よって、第一フラップ３１と第二フラップ３２とによって、滑らかに空気Ａを室内Ｒ側に向かって案内しつつ、供給口２５ａの開口面積を減少させ、又は増大させることができ、空気調和システム１の運転効率の向上につながる。
【００５１】
ここで、本参考例では、デマンド制御装置１２では、空気調和システム１が設置された設備内の消費電力が閾値よりも十分に小さくなっている場合には、上述の場合とは逆に、圧縮機回転数を上げ、室内ファン２６からの空気Ａの風量を増大させる制御を行ってもよい。そしてこの場合に、仮に快適性判断部５２で室内Ｒの快適性が損なわれていると判断された際に、第一フラップ３１及び第二フラップ３２の先端部３１ａ、３２ａを互いに離間させることで供給口２５ａの開口面積を大きくし、空気Ａの風速を減少させてもよい。これにより、室内Ｒの快適性の向上を図ることができる。
【００５２】
また、室内ファン２６からの空気Ａの風量を増大させてもなお、室内Ｒの快適性が不十分である場合には、供給口２５ａの開口面積を小さくすることで空気Ａの風速を増大させてもよい。また、室内ファン２６からの空気Ａの風量を減少させてもなお、室内Ｒの快適性が不十分である場合には、供給口２５ａの開口面積を大きくすることで空気Ａの風速を減少させてもよい。
【００５３】
さらに、図３に示すように、駆動制御装置１５は、室内Ｒの状態を取得する上記のセンサ５１に代えて、室内ファン２６からの空気Ａの風量に対応する供給口２５ａの開口面積のデータを記憶する記憶部５４を有していてもよい。記憶部５４は、例えば空気Ａの風量毎に、室内Ｒが快適な条件となる供給口２５ａの開口面積の値をマップ（データ）として記憶している。
【００５４】
図４に示すように駆動制御部５３では、デマンド制御によって制御されることで空気Ａの風量が調整された状態でこの風量を取得し、風量を記憶部５４のマップに当てはめることで供給口２５ａの開口面積を決定する（ステップＳ５１）。そして供給口２５ａが決定された開口面積となるように、開口調整機構１３における第一フラップ３１及び第二フラップ３２を動作させる。
【００５５】
このように記憶部５４が設けられていることで、予め記憶されたマップと、室内Ｒへ供給される空気Ａの風量とを比較し、供給口２５ａの開口面積を決定し、開口調整機構１３を駆動することで、空気Ａの風速を容易に、かつ、室内Ｒの快適性を向上するように調整することができる。
【００５６】
なお、記憶部５４では、室内Ｒが快適な条件となる供給口２５ａの開口面積の値を算出する計算式を上記のマップに代えて記憶し、駆動制御装置１５ではこの計算式から供給口２５ａの開口面積を算出、決定してもよい。さらに、駆動制御装置１５は、室内Ｒの状態を取得する上記のセンサ５１と記憶部５４とを併設してもよい。
【００５７】
ここで、本参考例のデマンド制御装置１２の制御部４４では、デマンド信号によって室内Ｒへ供給される空気Ａの風量を調整する制御を行いつつ、空気調和機１１での成績係数ＣＯＰが最大となるように制御を行ってもよい。
この場合、開口調整機構１３の制御によって室内の快適性を向上するとともに、成績係数ＣＯＰが最大となることで空気調和システム１の運転効率を向上することができる。
【００５８】
〔第一実施形態〕
本発明の第一実施形態では、図５に示すように、デマンド制御装置１２は、制御部４４でデマンド制御を行って供給口２５ａの開口面積が変化した際に、空気調和機１１にフィードバック制御を行うフィードバック制御部４５をさらに有している。
ここで、開口調整機構１３を動作させ、室内Ｒへ供給される空気Ａの風速を増大させた際、供給口２５ａから吹き出す際に生じる空気Ａの圧力損失によって空気調和機１１の運転点がＣＯＰの低下する領域に移動してしまうことがある。このような場合に、フィードバック制御部４５が、空気調和機１１の成績係数ＣＯＰが最大となるように、室外機２１の圧縮機、室外ファン、室内機２２の室内ファン２６の回転数等の調整を行う。
【００５９】
このようにフィードバック制御部４５を設けることで、デマンド制御装置１２でフィードバック制御を行って成績係数ＣＯＰを最大とし、室内Ｒの快適性を得つつ、空気調和システム１での運転効率の向上を図ることができる。
【００６０】
また、第一フラップ３１及び第二フラップ３２の取り付け位置や形状は、上述の場合に限定されず、供給口２５ａの形状に応じて適宜変更可能である。例えば、取り付け位置は上部及び下部の開口縁部２５ｂでなくともよく、矩形状の供給口２５ａの左右の開口縁部であってもよい。即ち、第一フラップ３１と第二フラップ３２とが対向するように配置されていればよい。また供給口２５ａが円形状をなしている場合には、第一フラップ３１及び第二フラップ３２は、円弧状の開口縁部に沿って湾曲する板状をなしていてもよい。
【００６１】
〔第二実施形態〕
次に、図６を参照して、本発明の第二実施形態における空気調和システム６１について説明する。
第一実施形態と同様の構成要素には同一の符号を付して詳細説明を省略する。
本実施形態の空気調和システム６１では、開口調整機構６３が第一実施形態とは異なっている。
【００６２】
即ち、開口調整機構６３は、供給口２５ａの上部の開口縁部２５ｂ１の上方から供給口２５ａの上下方向の中央に向かってスライドして伸びるとともに、供給口２５ａの上下方向の中央から上部の開口縁部２５ｂ１の上方に向かってスライドして縮むように設けられた平板状をなす第一シャッター７１を有している。同様に開口調整機構６３は、供給口２５ａの下部の開口縁部２５ｂ２の下方から供給口２５ａの上下方向の中央に向かってスライドして伸びるとともに、供給口２５ａの上下方向の中央から下部の開口縁部２５ｂ２の下方に向かってスライドして縮むように設けられた第二シャッター７２を有している。即ち、これら第一シャッター７１及び第二シャッター７２は互いに近接離間するように動作して、供給口２５ａの開口面積を調整可能となっている。
【００６３】
本実施形態の空気調和システム６１においても、空気Ａの風量がデマンド制御により減少した際には、第一シャッター７１及び第二シャッター７２を動作させることによって供給口２５ａの開口面積を調整することができる。従って、室内ファン２６からの空気Ａの風速を調整でき、室内Ｒの快適性を向上することができる。
【００６４】
ここで図７に示すように本実施形態では、開口調整機構６３は、下部（又は上部）の開口縁部２５ｂの下方（又は上方）から供給口２５ａの一部を塞ぐように進出可能なシャッター８１を有していてもよい。このようなシャッター８１によっても供給口２５ａの開口面積を調整可能である。
【００６５】
また図８に示すように本実施形態では、開口調整機構６３は、図６に示す第一シャッター７１及び第二シャッター７２や図７に示すシャッター８１に代えて、シートシャッター９１を有していてもよい。シートシャッター９１が供給口２５ａの開口面積を減少させる際には、供給口２５ａの上下方向の中央に向かって巻き出される。その一方で開口面積を増大させる際には、シートシャッター９１は巻き取られる。
【００６６】
以上、本発明の実施形態について図面を参照して詳述したが、各実施形態における各構成及びそれらの組み合わせ等は一例であり、本発明の趣旨から逸脱しない範囲内で、構成の付加、省略、置換、およびその他の変更が可能である。また、本発明は実施形態によって限定されることはなく、特許請求の範囲によってのみ限定される。
【００６７】
例えば、上述の実施形態では、開口調整機構１３、６３を駆動する駆動装置１４、及び駆動制御装置１５は必ずしも設けられなくともよい。例えば、室内Ｒの快適性に応じて手動で開口調整機構１３、６３を操作し、供給口２５ａの開口面積を調整することも可能である。
【００６８】
また、開口調整機構１３、６３は上述したものに限定されない。
【符号の説明】
【００６９】
１、６１…空気調和システム
１１…空気調和機
１２…デマンド制御装置
１３、６３…開口調整機構
１４…駆動装置
１５…駆動制御装置
２１…室外機
２２…室内機
２５…筐体
２５ａ…供給口
２５ｂ、２５ｂ１、２５ｂ２…開口縁部
２６…室内ファン
２６ａ…吹出口
２７…熱交換器
２９…ルーバー
３１…第一フラップ
３１ａ…先端部
３２…第二フラップ
３２ａ…先端部
４１…監視部
４２…判断部
４３…信号出力部
４４…制御部
４５…フィードバック制御部
５１…センサ
５２…快適性判断部
５３…駆動制御部
５４…記憶部
７１…第一シャッター
７２…第二シャッター
８１…シャッター
９１…シートシャッター
Ａ…空気
ＲＦ…冷媒
Ｏ１、Ｏ２…軸線
Ｒ…室内
【図１】
0006539897.tif 000002
【図２】
0006539897.tif 000003
【図３】
0006539897.tif 000004
【図４】
0006539897.tif 000005
【図５】
0006539897.tif 000006
【図６】
0006539897.tif 000007
【図７】
0006539897.tif 000008
【図８】
0006539897.tif 000009